(57)【特許請求の範囲】
【請求項１】
敷地に設けられたレール上を往復走行する自動車を跨ぐ形状の門型に形成された洗車機本体に洗浄機構を設け、キーボードの操作により該洗浄機構を駆動して複数の洗車工程を順次実行する制御装置を設けた門型洗車装置において、
前記洗車機本体には、前記制御装置により制御されるエアーの吸引・排気機構を設け、この吸引・排気機構の途中の配管が前記洗車機本体の上部に水平方向に回動するホース支持アームに支持され、該ホース支持アームの端部から吊り下げられた配管に接続されるホースの端部に清掃具を取り付けた清掃装置が設けられ、前記清掃具は、排気パイプの内部に吸引パイプが収納された２重パイプ構造からなり、前記吸引・排気機構は、前記洗車機本体に設けられたコンプレッサが第1電磁弁、気体モータ及び第２電磁弁を介して前記吸引パイプに接続され、前記気体モータに駆動される気体ポンプが前記排気パイプに接続され、前記第１電磁弁及び第２電磁弁は前記清掃具に設けられた手元スイッチの操作で前記制御装置により通路が個別に切換えられることを特徴とする門型洗車装置。
【発明の詳細な説明】
【０００１】
【発明の属する技術分野】
本発明は、給油所等に設置される自動車を洗車する門型洗車装置に関するものである。
【０００２】
【従来の技術】
従来、給油所に設置される洗車装置には、洗車エリアの自動車を跨ぐ門型に形成された門型洗車装置がある。この門型洗車装置は、レール上を往復移動する本体内には、回転ブラシあるいは高圧の洗浄液を噴射する複数のスプレーノズル等からなる洗浄機構が設けられ、制御装置が洗車ボタンによる洗車実行信号を受信して、洗浄機構を駆動し、複数の洗車工程を順次実行するようになっている。
【０００３】
【発明が解決しようとする課題】
従来の門型洗車装置は、自動車の外表面の汚れを落とすことができるが、車内の汚れやゴミを清掃するには、自動車を洗車エリアから別のエリアに移動させて、別途用意した清掃具により行わなければならなかった。
【０００４】
本発明は上記事情に鑑みなされたもので、洗車エリアにおいて車内の汚れやゴミの清掃ができる門型洗車装置を提供することを目的とする。
【０００５】
【課題を解決するための手段】
上記目的を達成するために請求項１に記載の発明にあっては、敷地に設けられたレール上を往復走行する自動車を跨ぐ形状の門型に形成された洗車機本体に洗浄機構を設け、キーボードの操作により該洗浄機構を駆動して複数の洗車工程を順次実行する制御装置を設けた門型洗車装置において、前記洗車機本体には、前記制御装置により制御されるエアーの吸引・排気機構を設け、この吸引・排気機構の途中の配管が前記洗車機本体の上部に水平方向に回動するホース支持アームに支持され、該ホース支持アームの端部から吊り下げられた配管に接続されるホースの端部に清掃具を取り付けた清掃装置が設けられ、前記清掃具は、排気パイプの内部に吸引パイプが収納された２重パイプ構造からなり、前記吸引・排気機構は、前記洗車機本体に設けられたコンプレッサが第1電磁弁、気体モータ及び第２電磁弁を介して前記吸引パイプに接続され、前記気体モータに駆動される気体ポンプが前記排気パイプに接続され、前記第１電磁弁及び第２電磁弁は前記清掃具に設けられた手元スイッチの操作で前記制御装置により通路が個別に切換えられることを特徴とするものである。洗車機本体の清掃装置を設けることで、洗車エリアにおいて車内の汚れやゴミの清掃ができる。また、手元スイッチにより簡単に吸引・排気装置を制御でき、洗浄機構に使用するコンプレッサを利用して気体モータにより気体ポンプを駆動できる。
【０００８】
【発明の実施の形態】
以下、本発明を図示の一実施形態により具体的に説明する。図１〜図４は本発明実施形態の門型洗車装置を説明する図であり、図１は門型洗車装置の斜視図、図2は清掃具を説明する断面図、図3は清掃具の配管系統図、図4は清掃具の制御系統を説明するブロック図である。
【０００９】
これらの図において、本実施形態の門型洗車装置１０は、敷地に設けられた２本のレール１１，１１上を往復走行する自動車を跨ぐ形状の門型に形成された洗車機本体１２が配置されており、この洗車機本体１２の内部には走行駆動用のモータ１３が配置され、内面側には洗浄機構を構成する、洗浄液を噴射するためのスプレーノズル１４と、自動車に付着した洗浄液を吹き飛ばすブロワノズル１５とが設けられている。ブロワノズル１５は、洗車機本体１２内に設けられたコンプレッサ１６により駆動される。また、洗車機本体１２には、その前面に洗車工程の設定や動作の制御用のキーボード１７が設けられ、内部には各部を制御する制御装置１８が配置されている。さらに、洗車機本体１２には、自動車の内部の汚れやゴミを清掃するためのエアーの吸引及び排気機能を有する清掃装置２０が設けられている。
【００１０】
清掃装置２０は、エアーの吸引・排気機構１９に接続される途中の配管が洗車機本体１２の上部に水平方向に回動するホース支持アーム２６に支持され、そのホース支持アーム２６の端部から吊り下げられた配管に接続されるホースの端部に清掃具４０を取り付けたものである。吸引・排気機構１９は、洗浄機構の一部を利用したコンプレッサ１６と、このコンプレッサ１６に第１電磁弁２２を介して配管で接続された気体モータ２１と、この気体モータ２１に駆動される気体ポンプ２１ａと、この気体モータ２１の排出口側に３方弁からなる第２電磁弁２４を介してゴムホース等からなるエアー排気ホース３０と、気体ポンプ２１ａの吸引口側にゴミ収集容器２３を介して接続されるエアー吸引ホース２９等とから構成される。
【００１１】
ホース支持アーム２６は、洗車機本体１２の一方側（左側）の前側上部に垂直に設けられた軸３１に水平な補強板３２が設けられ、この補強板３２の上部に洗車機本体１２の頂部から導出されたエアー吸引ホース２９及びエアー排気ホース３０等を収納するホース２５を案内するパイプ３３が取り付けられている。このパイプ３３は、先端側が他方側（右側）の洗車機本体１２の上部をやや越える位置まで延出される長さに形成され、かつ先端側が軸３１を介して洗車機本体１２の前側に約９０度回動するようになっている。さらに、洗車機本体１２の他方側の前側上部には、ホース支持アーム２６の先端部のパイプ３３を係止させるストッパ２７が取り付けられている。ホース２５内に収納されパイプ３３の先端部まで案内されたエアー吸引ホース２９及びエアー排気ホース３０は、継手等を介して柔軟なホース２８に収納されて吊り下げられている。このホース２８は、十分な長さに形成され、内部のエアー吸引ホース２９及びエアー排気ホース３０が後に詳細に説明する清掃具４０に接続され、使用しないときには洗車機本体１２の側面に取り付けられた清掃具掛け３４に巻付けて掛けられるようになっている。
【００１２】
清掃具４０は、排気パイプ４２の内部にほぼ同じ長さの吸引パイプ４１が収納された所定長さの２重パイプ構造からなり、排気パイプ４２の先端側は、柔軟な可撓性を有する材料から拡径状でやや傾斜した端部の排気口４２ａを有し、吸引パイプ４１の先端側は、排気口４２ａとほぼ同じ位置で同じ傾斜した端部の吸引口４１ａを有する。これらの排気パイプ４２及び吸引パイプ４１は、保持部４３により位置が保持され、また、後端部側は、それぞれ配管継手４５及び４４を介してエアー排気ホース３０及びエアー吸引ホース２９に接続されている。また、排気パイプ４２の外面部分には、第１電磁弁２２及び第２電磁弁２４を動作させるための第１スイッチ４６及び第２スイッチ４７が設けられている。
【００１３】
図４に示すように、制御装置１８は、キーボード１７からの操作により手作業による車内清掃工程においてコンプレッサ１６を駆動し、第１スイッチ４６をオンすることで第１電磁弁２２を開き、第２スイッチをオンすることで第２電磁弁２４を外部への排気から清掃具４０方向へ通路を切り換えるように制御する。なお、図面において、制御装置１８は清掃装置２０に関する部分だけ記載し、洗浄機構に関する制御の記載を省略している。
【００１４】
上記構成の門型洗車装置１０では、洗車のための配置された自動車の内部の汚れやゴミを清掃する場合に、キーボード１７の操作により洗車機本体１２が所定の停車位置で停車した状態において、コンプレッサ１６を駆動することで手作業による車内清掃が可能になる。清掃具掛け３４に掛けられた清掃具４０を手に持ち、ホース支持アーム２６を前側に回動させて自動車内部に持ちこみ、手元の第１スイッチ４６をオンすると、第１電磁弁２２が開き、コンプレッサ１６から排出されるエアーにより気体モータ２１が駆動され、さらにこの気体モータ２１に気体ポンプ２１ａが駆動されて、エアーが清掃具４０の吸引口４１ａから吸引され、吸引パイプ４１、エアー吸引ホース２９、ゴミ収集容器２３を通って気体ポンプ２１ａから外部に排気される。これにより、自動車内の隙間等に入っている小さなゴミがエアーとともに吸引されてゴミ収集容器２３に集められる。このとき、第２電磁弁２４は、大気側に通路が切り換えられているため、清掃具４０の排気口４２ａからエアーは排気されない。次に、第２スイッチ４７をオンすると、第２電磁弁２４の通路が清掃具４０側に切り換えられ、気体モータ２１を駆動したエアーは、エアー排気ホース３０、排気パイプ４２を通って排気口４２ａから排気される。これにより、自動車内のゴミや汚れを吹き飛ばすとともに、吹き飛ばされた小さなゴミや汚れが吸引口４１ａから吸引され、吸引パイプ４１、エアー吸引ホース２９、ゴミ収集容器２３を通って気体ポンプ２１ａから外部に排気される。以上のように、門型洗車装置１０にエアーの吸引及び排気機能を有する清掃装置２０が設けられているため、洗車のために洗車エリアに移動させた自動車を移動させることなく同じ場所で自動車内の汚れやゴミの清掃ができ、時間及び人件費の削減を図ることができる。また、洗車機本体１２は、清掃作業を行うとき、キーボード１７操作により移動を停止した状態にすることで、安全にできる。さらに、清掃装置２０は、清掃具４０をホース支持アーム２６により回動させて自動車まで簡単に移動させることができるため、清掃作業が容易になる。
【００１５】
なお、上記実施形態において、洗車機本体１２はスプレーノズルあるいはブラシ等による洗浄機構が設けられていればよく、実施形態に限定されない。また、洗浄装置２０は、少なくとも自動車の内部の汚れやゴミを清掃するためのエアーの吸引及び排気機能を有するものであればよく、洗浄具４０の形状や構造は任意にできる。
【００１６】
【発明の効果】
以上説明したように本発明の門型洗車装置では、敷地に設けられたレール上を往復走行する自動車を跨ぐ形状の門型に形成された洗車機本体に洗浄機構を設け、キーボードの操作により洗浄機構を駆動して複数の洗車工程を順次実行する制御装置を設けた門型洗車装置において、洗車機本体には、制御装置により制御されるエアーの吸引・排気装置を設け、この吸引・排気装置の途中の配管が洗車機本体の上部に水平方向に回動するホース支持アームに支持され、ホース支持アームの端部から吊り下げられた配管に接続されるホースの端部に清掃具を取り付けた清掃装置が設けられていることで、洗車エリアにおいて車内の汚れやゴミの清掃ができる。
【図面の簡単な説明】
【図１】本発明実施形態の門型洗車装置の斜視図である。
【図２】本発明実施形態の清掃具を説明する断面図である。
【図３】本発明実施形態の清掃具の配管系統図である。
【図４】本発明実施形態の清掃具の制御系統を説明するブロック図である。
【符号の説明】
１０  門型洗車装置
１１  レール
１２  洗車機本体
１３  モータ
１４  スプレーノズル
１５  ブロワノズル
１６  コンプレッサ
１７  キーボード
１８  制御装置
１９  吸引・排気機構
２０  清掃装置
２１  気体モータ
２１ａ  気体ポンプ
２２  第１電磁弁
２３  ゴミ収集容器
２４  第２電磁弁
２５  ホース
２６  ホース支持アーム
２７  ストッパ
２８  ホース
２９  エアー吸引ホース
３０  エアー排気ホース
３１  軸
３２  補強板
３３  パイプ
３４  清掃具掛け
４０  清掃具
４１  吸引パイプ
４１ａ  吸引口
４２  排気パイプ
４２ａ  排気口
４３  保持部
４４，４５  配管継手
４６  第１スイッチ
４７  第２スイッチ
【図１】
0003748207.tif 000002
【図２】
0003748207.tif 000003
【図３】
0003748207.tif 000004
【図４】
0003748207.tif 000005